(57)【要約】【課題】複数の筆記体及びスライドガイドの組立体の一をスライドガイド孔の一に従来よりも容易に組み付けることができる筆記具を提供する。【解決手段】一実施形態に係る筆記具は、径方向に開口した複数のスライドガイド孔を有する軸筒と、該複数のスライドガイド孔の各々に組み付けられて軸線方向に摺動する複数のスライドガイドと、該複数のスライドガイドの各々に組み付けられた複数の筆記体とを備え、該複数の筆記体の一を選択して該軸筒の先口から突出させることができる筆記具において、該スライドガイドは周方向に延在する係合突起を有し、該スライドガイドが該スライドガイド孔に組み付けられるときに、該スライドガイドの係合突起又は該スライドガイド孔が周方向に弾性変形する。【選択図】  図２
2019189323.tif 000002
【特許請求の範囲】
【請求項１】
径方向に開口した複数のスライドガイド孔を有する軸筒と、前記複数のスライドガイド孔の各々に組み付けられて軸線方向に摺動する複数のスライドガイドと、前記複数のスライドガイドの各々に組み付けられた複数の筆記体とを備え、前記複数の筆記体の一を選択して前記軸筒の先口から突出させることができる筆記具において、前記スライドガイドは周方向に延在する係合突起を有し、該スライドガイドが前記スライドガイド孔に組み付けられるときに、該スライドガイドの係合突起又は該スライドガイド孔が周方向に弾性変形することを特徴とする、筆記具。
【請求項２】
前記スライドガイドの係合突起は径方向に延在する径方向延在部を更に有する、請求項１に記載の筆記具。
【請求項３】
前記スライドガイドの係合突起又は前記スライドガイド孔は周方向に対して傾斜する傾斜面を更に有する、請求項１又は請求項２に記載の筆記具。
【請求項４】
前記複数のスライドガイドの一はクリップを更に有し、該クリップを有するスライドガイドは該スライドガイドが後退したときに前記軸筒と係合する係合部を更に有する、請求項１乃至請求項３のいずれか一項に記載の筆記具。
【発明の詳細な説明】
【技術分野】
【０００１】
本発明は、複数の筆記体の一を選択して使用することができる筆記具に関する。
【背景技術】
【０００２】
従来、軸筒内に複数の筆記軸がその軸方向に移動可能に収容され、筆記軸の後端に操作体が連結され、各操作体が軸筒の後部外周面に形成された縦孔に軸方向に摺動可能に挿入されており、１つの操作体を前進させて該縦孔の前端側に保持させることにより、この操作体に連結された筆記軸の先端を軸筒の先端から突出した状態とする多芯筆記具において、該縦孔の後端は塞がれており、操作体は、縦孔に対してその径方向に出し入れ自在に構成されており、筆記軸は操作体に連結された状態で縦孔を径方向に通過して軸筒に対して出し入れ自在である筆記具が知られている（例えば、特許文献１参照）。この筆記具では、操作体が、縦孔に対してその径方向に出し入れ自在となっているために、筆記軸の交換時に、縦孔から操作体及びそれに連結された筆記軸を取り出すことができ、且つ縦孔から操作体及び筆記軸を挿入することができる。
【先行技術文献】
【特許文献】
【０００３】
【特許文献１】特開２０１１−２４０５５５号公報  （例えば、段落００１１、段落００２１参照。）
【発明の概要】
【発明が解決しようとする課題】
【０００４】
しかしながら、従来、径方向に開口した複数のスライドガイド孔を有する軸筒と、該複数のスライドガイド孔の各々に組み付けられて軸線方向に摺動する複数のスライドガイドと、該複数のスライドガイドの各々に組み付けられた複数の筆記体とを備え、該複数の筆記体の一を選択して該軸筒の先口から突出させることができる筆記具において、該複数の筆記体及びスライドガイドの組立体の一を該スライドガイド孔の一に従来よりも容易に組み付けることができる筆記具を提供することが求められていた。【０００５】
本発明は、複数の筆記体及びスライドガイドの組立体の一をスライドガイド孔の一に従来よりも容易に組み付けることができる筆記具を提供することを目的とする。
【課題を解決するための手段】
【０００６】
本発明に係る筆記具の一態様では、径方向に開口した複数のスライドガイド孔を有する軸筒と、該複数のスライドガイド孔の各々に組み付けられて軸線方向に摺動する複数のスライドガイドと、該複数のスライドガイドの各々に組み付けられた複数の筆記体とを備え、該複数の筆記体の一を選択して該軸筒の先口から突出させることができる筆記具において、該スライドガイドは周方向に延在する係合突起を有し、該スライドガイドが該スライドガイド孔に組み付けられるときに、該スライドガイドの係合突起又は該スライドガイド孔が周方向に弾性変形する。
【発明の効果】
【０００７】
本発明に係る複数の態様では、複数の筆記体及びスライドガイドの組立体の一をスライドガイド孔の一に従来よりも容易に組み付けることができる筆記具を提供することができる。
【図面の簡単な説明】
【０００８】
【図１】本発明の一実施形態に係る多芯筆記具の外観を示す斜視図である。
【図２】本発明の一実施形態に係る多芯筆記具の図１のＩＩ−ＩＩ断面を示す断面図である。
【図３Ａ】本発明の一実施形態に係る多芯筆記具の後軸を示す正面図である。
【図３Ｂ】本発明の一実施形態に係る多芯筆記具における後軸の図３ＡのＩＩＩＢ−ＩＩＩＢ断面を示す断面斜視図である。
【図３Ｃ】本発明の一実施形態に係る多芯筆記具における後軸の図３ＡのＩＩＩＢ−ＩＩＩＢ断面を示し、図３Ｂとは角度を変えた断面斜視図である。
【図４Ａ】本発明の一実施形態に係る多芯筆記具のクリップ付スライドガイドを示す側面図である。
【図４Ｂ】本発明の一実施形態に係る多芯筆記具のクリップ付スライドガイドを示す径方向内側から見た背面図である。
【図４Ｃ】本発明の一実施形態に係る多芯筆記具のクリップ付スライドガイドを示す、径方向内側から見た斜視図である。
【図５Ａ】本発明の一実施形態に係る多芯筆記具の操作スライドガイドを示す側面図である。
【図５Ｂ】本発明の一実施形態に係る多芯筆記具の操作スライドガイドを示す径方向内側から見た背面図である。
【図５Ｃ】本発明の一実施形態に係る多芯筆記具の操作スライドガイドを示す、径方向内側から見た斜視図である。
【図６Ａ】本発明の一実施形態に係る多芯筆記具の図２のＶＩＡ−ＶＩＡ断面図である。
【図６Ｂ】本発明の一実施形態に係る多芯筆記具の図２のＶＩＢ−ＶＩＢ断面図である。
【図７Ａ】本発明の一実施形態に係る多芯筆記具の図１のＩＩ−ＩＩ断面に相当する断面図であり、スライドガイドが前進して筆記体の筆記部が先口の開口部から突出した状態を示す図である。
【図７Ｂ】本発明の一実施形態に係る多芯筆記具の図７ＡのＶＩＩＢ−ＶＩＩＢ断面図である。
【図８】本発明の一実施形態に係る多芯筆記具において、筆記体が組み付けられたスライドガイドをスライドガイド孔に組み付ける様子を示す斜視図である。
【図９Ａ】本発明の一実施形態に係る多芯筆記具の図２のＶＩＡ−ＶＩＡ断面に相当する図であり、スライドガイドがスライドガイド孔に組み付けられる前半の様子を示す図である。
【図９Ｂ】本発明の一実施形態に係る多芯筆記具の図２のＶＩＡ−ＶＩＡ断面に相当する図であり、スライドガイドがスライドガイド孔に組み付けられる後半の様子を示す図である。
【図１０Ａ】本発明の一実施形態に係る多芯筆記具の図２のＶＩＢ−ＶＩＢ断面に相当する図であり、スライドガイドがスライドガイド孔から取り外される前半の様子を示す図である。
【図１０Ｂ】本発明の一実施形態に係る多芯筆記具の図２のＶＩＢ−ＶＩＢ断面に相当する図であり、スライドガイドがスライドガイド孔から取り外される後半の様子を示す図である。
【発明を実施するための形態】
【０００９】
以下、図に基づいて本発明の複数の実施形態を説明する。図１に示す一実施形態の多芯筆記具１は、先軸２１と後軸２２からなる略筒状の軸筒２の後軸２２の後方に複数配置されるスライドガイド１０をスライド操作することにより、複数の筆記体３０（図２参照）の一を選択して軸筒２の先軸２１の先口２１ａから突出させて筆記することができる筆記具である。筆記体３０は、ボールペンレフィルの他、シャープペンシルレフィルなど、任意のレフィルを用いることができる。ここで、以下の説明においては、軸筒２の長手方向（以下、軸線方向という）に沿って先軸２１側を多芯筆記具１の前方とし、その反対の後軸２２側を後方とする。
【００１０】
図２に示すように、略筒状の先軸２１の外周には、エラストマー等の軟質材料からなるグリップ３が組み付けられる。先軸２１の先端部分には、その先端が窄まるように形成された先口２１ａが配置される。先口２１ａの先端の開口部２１ａ１から筆記体３０の筆記部が出没される。また、先軸２１におけるグリップ３の後方にはフランジ２１ｂが形成される。フランジ２１ｂの後方には、雄ネジ２１ｃが形成される。雄ネジ２１ｃは、後述する後軸２２の雌ネジ２２ｃと螺合し、これにより先軸２１と後軸２２とが接続される。
【００１１】
略筒状の後軸２２の先端部分には、先軸２１の雄ネジ２１ｃと螺合する雌ネジ２２ｃが形成される。後軸２２の後端は後端壁２２ｂにより塞がれる。後端壁２２ｂの内壁面２２ｂ１の中央部には、前方に向けて円錐状に突出する後端壁突起２２ｂ２が形成される。後端壁突起２２ｂ２については、後に図３Ｂを参照して詳述する。後端壁２２ｂの前方側には、後軸２２の外周面上において径方向に開口した複数である３個のスライドガイド孔２２ａが形成される。スライドガイド孔２２ａは、図３Ａに示すように、軸線方向に長く開口するように形成される、略長矩形状の孔である。軸線方向周りの周方向に隣り合うスライドガイド孔２２ａの間には、梁状部２２ｄが形成される。
【００１２】
図３Ａ〜図３Ｃに示すように、梁状部２２ｄの側壁面２２ｄ１は、スライドガイド孔２２ａ内に露出する。側壁面２２ｄ１は、後軸２２の内周面から突出して、側壁面２２ｄ１の前方側の面と連続する平坦面を形成する補助壁面２２ｄ１１を有する（図３Ｃ及び図６Ｂ参照）。このようにして、１つのスライドガイド孔２２ａにおいて、対向して一対の側壁面２２ｄ１が配置される（図３Ａ参照）。また、スライドガイド孔２２ａの前端縁２２ａ１における後軸２２の内周面には、径方向内側に向けて突出するスライドガイド規制突起２２ａ１１が形成される。
【００１３】
後軸２２のスライドガイド孔２２ａ内に面する各側壁面２２ｄ１には、各側壁面２２ｄ１からスライドガイド孔２２ａ内に突出し、後端壁２２ｂの内壁面２２ｂ１からスライドガイド孔２２ａの前端縁２２ａ１よりも前方の位置迄に亘って延在するガイド部２２ｅが形成される。ガイド部２２ｅは、後端係合突起２２ｅ１と、後ガイド２２ｅ２と、前ガイド２２ｅ３を有する。
【００１４】
後端係合突起２２ｅ１は、後端壁２２ｂの内壁面２２ｂ１から突出してブロック状に形成される。後ガイド２２ｅ２は、後端係合突起２２ｅ１よりも幅狭に（換言すれば側壁面２２ｄ１からの突出量が後端係合突起２２ｅ１よりも少ない形状として）後端係合突起２２ｅ１から前方に向けて延設される。後端係合突起２２ｅ１と後ガイド２２ｅ２の径方向外側の外表面は、対応する後端壁２２ｂの径方向外側の外表面と連続する平坦面に形成される。後ガイド２２ｅ２の径方向外側の外表面と開口壁面との間には、対向する後ガイド２２ｅ２の開口壁面との開口幅が径方向外側に向かうに従って拡開するように周方向に対して傾斜する後ガイド傾斜面２２ｅ２１（図６Ａも参照）が形成される。後ガイド２２ｅ２の前端には、径方向外側がＲ面取状に湾曲する面取部２２ｅ２２が形成される。前ガイド２２ｅ３は、面取部２２ｅ２２よりも径方向内側の面取部２２ｅ２２の前端よりも後方側の位置から前方に向けて延在する略板状に形成される。従って、後ガイド２２ｅ２の面取部２２ｅ２２が前ガイド２２ｅ３と接続する部分は、後方に向けて先細に凹むようにしてガイド係止段部２２ｆが形成される。
【００１５】
ガイド係止段部２２ｆよりも前方側であって、前ガイド２２ｅ３の径方向内側の内表面と開口壁面との間には、対向する前ガイド２２ｅ３の開口壁面との開口幅が径方向外側に向かうに従って縮閉するように周方向に対して傾斜する前ガイド傾斜面２２ｅ３１（図６Ｂ参照）が形成される。また、前ガイド２２ｅ３の前端部分の側面（開口壁面）は、対向する前ガイド２２ｅ３の開口壁面との間の開口幅が前方に向かうに従って拡開するように傾斜側面２２ｅ３２が形成される。このように形成されたスライドガイド孔２２ａの構成の各々については後に個別に詳述する。
【００１６】
図２に戻り、軸筒２の内部に突出して組み付けられた先軸２１の後方の位置には、ガイドストッパー４０が組み付けられる。ガイドストッパー４０は、前方に開口した略有底筒状に形成されてその前部を構成する円筒部４０ａと、この円筒部４０ａの後面から突出してその後部を構成するスプリングガイド４０ｂとを有する。ガイドストッパー４０の円筒部４０ａの外周には、後軸２２の前方の内周面上に形成された環状突起２２ｇと嵌合する溝部４０ａ１が形成される。後軸２２の環状突起２２ｇとガイドストッパー４０の溝部４０ａ１との嵌合によって、ガイドストッパー４０が軸筒２に対して固定される。ガイドストッパー４０の円筒部４０ａの底部には、３本の筆記体３０が挿通されるよう３つの孔４０ａ２が開けられる。ガイドストッパー４０の円筒部４０ａの後面とスライドガイド１０との間で圧縮されるように、圧縮スプリング４２が筆記体３０の外周に配置される。圧縮スプリング４２の付勢力により、スライドガイド１０及び筆記体３０は後方に付勢される。
【００１７】
本実施形態では、操作部としても機能するクリップ１１ａを有するクリップ付スライドガイド１１及び本体から径方向外側に突出する操作部１２ａを有する２つの操作スライドガイド１２を含む合計３個のスライドガイド１０が後軸２２に形成された３個のスライドガイド孔２２ａに対応して軸線回りの周方向に等間隔で配置される。
【００１８】
クリップ付スライドガイド１１は、図４Ａ〜図４Ｃに示すように、略棒状に形成される本体部１１ｂと、本体部１１ｂから径方向外側に突出し、湾曲部を経て前方に延在するクリップ１１ａとを有する。クリップ１１ａの基端部における前部の外周面上には、後方に向かうに従って径方向外側に突出するように傾斜する規制傾斜面１１ａ１が形成される。この規制傾斜面１１ａ１は、クリップ付スライドガイド１１の前進を所定の操作量の範囲内に規制すると共に、筆記体３０を突出させたクリップ付スライドガイド１１の規制傾斜面１１ａ１とスライドガイド孔２２ａの前端縁との間に所定のクリアランスを画成する。本体部１１ｂは、略棒状に形成される棒状本体１００を有する。棒状本体１００の径方向外側には、棒状本体１００の前端よりも後方にその前端を有し、棒状本体１００の後端から後方にその後端が突出するように長手方向に延在する板状部１１０が形成される。板状部１１０は、後に詳述するように複数のスライド面を有する。板状部１１０の前端と棒状本体１００とにより圧縮スプリング４２と係合するスプリング係合段部１２０が形成される。棒状本体１００の前端には、筆記体３０と係合して筆記体３０を保持するための筆記体係合部１３０が棒状本体１００から前方に向けて突出するように形成される。クリップ１１ａの基部と板状部１１０は、略面一なスライド面を形成するために略等幅に形成される。
【００１９】
クリップ付スライドガイド１１の本体部１１ｂの棒状本体１００の後部には、棒状本体１００から突出する３個の突起（解除突起１４０、着脱用突起１５０、被解除突起１６０）が形成される。３個の突起のうち、前側の解除突起１４０及び最後方の被解除突起１６０は、軸線方向から視たときに、その先端が先細となった略三角形状に形成される。着脱用突起１５０は一対の着脱片２００を有し、一対の着脱片２００は棒状本体１００から径方向内側に向けて突出して延在するように形成される。着脱片２００の各々は、該一対の着脱片２００の突出方向である径方向を挟んで対向し、板状部１１０に対して略直交する方向に突出する略板状の径方向延在部２１０を有する。また、着脱片２００の各々は、径方向延在部２１０の端部から周方向（本実施形態では径方向延在部２１０の延在方向と略直交する方向）に延在する係合突起２２０を有する。係合突起２２０は多芯筆記具１の軸線周りの周方向に突出して延在しているとよい。多芯筆記具１の径方向内側に面する係合突起２２０の内表面には、係合突起２２０の先端が先細となるように周方向に対して傾斜する傾斜面２２１が形成される。着脱用突起１５０の前後には、側面から視たときに切欠き形状となるように凹部１７０が形成される。この切欠き形状の凹部１７０を形成すると、後に詳述するように好適に着脱用突起１５０が弾性変形することを促進することができる。クリップ付スライドガイド１１の本体部１１ｂの後端には、棒状本体１００の側面及び後面に面する凹部が形成されるように、一対の係合部１８０が形成される。係合部１８０については後に詳述する。
【００２０】
図５Ａ〜図５Ｃに示される操作スライドガイド１２は、略棒状に形成される本体部１２ｂと、本体部１２ｂから径方向外側に向けて突出する操作部１２ａとを有する。操作部１２ａの前部には、前方に向けて先細となるように傾斜する規制傾斜面１２ａ１が形成される。操作スライドガイド１２の本体部１２ｂは、前述のクリップ付スライドガイド１１の本体部１１ｂに対応する。操作スライドガイド１２の本体部１２ｂは、棒状本体１００、板状部１１０、スプリング係合段部１２０、筆記体係合部１３０、解除突起１４０、着脱用突起１５０、被解除突起１６０、係合部１８０を有する。
【００２１】
図２に示すように、筆記体３０は、インクタンク３０ａの前端に筆記部３０ｂを有する。インクタンク３０ａの後端部内には、スライドガイド１０（クリップ付スライドガイド１１、操作スライドガイド１２）の筆記体係合部１３０が圧入される。筆記体３０は、スライドガイド１０に係合されて保持された状態で、軸筒２の内部に配置される。各スライドガイド１０の板状部１１０の多芯筆記具１の径方向内側に面する一対のスライド面（第１のスライド面）は、径方向外側にその法線ベクトルを有するようにスライドガイド孔２２ａの一対の後ガイド２２ｅ２に対して形成された後ガイド２２ｅ２のガイド平面と摺接する。板状部１１０の側面（第２のスライド面）は、後ガイド２２ｅ２のガイド平面と略直交する１対のガイド平面として、スライドガイド孔２２ａを挟んで対向する梁状部２２ｄに形成された梁状部２２ｄの側壁面２２ｄ１と摺接する。この略直交する２つのガイド平面にガイドされた状態で、各スライドガイド１０は、各スライドガイド孔２２ａに組み付けられて軸線方向に摺動する。
【００２２】
筆記体３０の没入状態（スライドガイド１０が後退した状態）においては、後軸２２の後端壁２２ｂに形成された後端係合突起２２ｅ１がスライドガイド１０の後端に形成された凹部である係合部１８０に挿入されて係合する。これにより、スライドガイド１０の径方向外側への移動が規制される。特に、クリップ付スライドガイド１１において、クリップ１１ａで多芯筆記具１を懸架して支持する場合であってもスライドガイド１０の径方向外側への移動を好適に規制することができる。
【００２３】
複数の筆記体３０の筆記部３０ｂを先口２１ａの開口部２１ａ１から突出させるときは、複数のスライドガイド１０の一を選択し、圧縮スプリング４２の付勢力に抗して前方にスライドさせる。複数のスライドガイド１０の一が所定の位置まで前進すると、図７Ａに示すように、スライドガイド１０の板状部１１０の後端が後軸２２の後ガイド２２ｅ２の前端（面取部２２ｅ２２、図３Ｂ、図３Ｃ参照）を越えることによって、スライドガイド１０の後部が操作力に押されて径方向内側に落ち込む。筆記体３０及びスライドガイド１０は圧縮スプリング４２によって後方に付勢されているから、スライドガイド１０の板状部１１０の後端がスライドガイド孔２２ａの一対のガイド係止段部２２ｆに押圧されて係止される。一方、スライドガイド１０の前部は、筆記体３０がガイドストッパー４０に挿通されているため、その径方向の位置が維持される。このため、スライドガイド１０は、その後部がその前部よりも軸線に近接するように軸線に対して傾斜してガイド係止段部２２ｆに係止される。このとき、図７Ｂに示すように、前進されたスライドガイド１０の板状部１１０の多芯筆記具１の径方向内側に面する一対のスライド面（第１のスライド面）が多芯筆記具１の径方向外側に面するように前ガイド２２ｅ３に形成された一対のガイド平面に近接又は接触することで前ガイド２２ｅ３によってガイドされる。スライドガイド１０の前進移動は、スライドガイド１０の規制傾斜面１１ａ１，１２ａ１がスライドガイド孔２２ａのスライドガイド規制突起２２ａ１１と当接することで所定の操作範囲内に規制される。
【００２４】
筆記体３０の突出状態を解除して没入させるときは、図７Ａに示す、選択した一の筆記体３０の突出状態において、他のスライドガイド１０を前方に移動させる。他のスライドガイド１０を前方に移動させると、他のスライドガイド１０の解除突起１４０が、突出状態のスライドガイド１０の被解除突起１６０に当接する。これにより、突出状態のスライドガイド１０が径方向外側に押し上げられて、スライドガイド１０の板状部１１０の後端とスライドガイド孔２２ａの一対のガイド係止段部２２ｆとの係合が解除される。スライドガイド１０とスライドガイド孔２２ａとの係合が解除されると、圧縮スプリング４２の付勢力により後方に付勢された筆記体３０が軸筒２内に没入される。他のスライドガイド１０をさらに前進させると、他のスライドガイド１０に保持された他の筆記体３０が軸筒２の先口２１ａの開口部２１ａ１から突出される。あるいは、他のスライドガイド１０の操作を中止すると、他のスライドガイド１０も後退し、全てのスライドガイド１０が軸筒２内に没入される。
【００２５】
多芯筆記具１の組み立てについて説明する。まず、ガイドストッパー４０を後軸２２に固定して、グリップ３が組み付けられた先軸２１（他の実施形態では二色成形等により先軸２１とグリップ３が一体的に形成されていても良い）を後軸２２に螺合して組み付ける。その後、図８に示すように、筆記体３０及び圧縮スプリング４２が組み付けられたスライドガイド１０を筆記体３０の先端からスライドガイド孔２２ａ内に挿入して、スライドガイド孔２２ａにスライドガイド１０を組み付ける。
【００２６】
スライドガイド１０は、スライドガイド１０の着脱用突起１５０をスライドガイド孔２２ａのガイド部２２ｅの後ガイド２２ｅ２に対して押圧することで容易に組み付けることができる。クリップ付スライドガイド１１の組み付けを例とする図９Ａに示すように、着脱用突起１５０を後ガイド２２ｅ２に当接させてスライドガイド１０をスライドガイド孔２２ａ内に押し込むと、着脱用突起１５０の各着脱片２００の係合突起２２０の傾斜面２２１が、後ガイド２２ｅ２の後ガイド傾斜面２２ｅ２１と当接する。さらにスライドガイド１０をスライドガイド孔２２ａ内に押し込むと、図９Ｂに示すように、スライドガイド１０の係合突起２２０が弾性変形して（具体的には、係合突起２２０を支持する径方向延在部２１０が弾性変形して）、対向する着脱片２００同士が相互に接近する。さらにスライドガイド１０をスライドガイド孔２２ａ内に押し込むと、着脱用突起１５０（係合突起２２０）が対向する一対の後ガイド２２ｅ２の間を通過することで着脱片２００の弾性変形が解放され、元の状態に復元する。このように、スライドガイド１０をスライドガイド孔２２ａに対して押し込むことにより、図６Ａに示すように、軸線方向に摺動自在で、かつ、径方向への移動が規制されるようにスライドガイド１０をスライドガイド孔２２ａに容易に組み付けることができる。スライドガイド１０の着脱用突起１５０の径方向延在部２１０が着脱用突起１５０の周方向（押し込み方向と直交する方向と略同じ方向）への好適な弾性変形を促進する。
【００２７】
スライドガイド１０は、組み付けられたスライドガイド孔２２ａから取り外すこともできる。スライドガイド１０をスライドガイド孔２２ａから取り外すときは、まず、取り外したい筆記体３０が組み付けられたスライドガイド１０を前進させて、着脱用突起１５０が前ガイド２２ｅ３と当接する位置まで移動する。着脱用突起１５０が前ガイド２２ｅ３と当接する位置でスライドガイド１０を径方向外側に引っ張ると、図１０Ａに示すように、係合突起２２０の径方向外側の面の縁が前ガイド２２ｅ３の前ガイド傾斜面２２ｅ３１と当接する。さらにスライドガイド１０を径方向外側に引っ張ると、係合突起２２０が弾性変形して（具体的には係合突起２２０を支持する径方向延在部２１０が弾性変形して）、着脱片２００同士が相互に接近する。さらにスライドガイド１０を径方向外側に引っ張ると、図１０Ｂに示すように、対向する一対の前ガイド２２ｅ３の間を着脱用突起１５０が通過する。このようにして、スライドガイド１０をスライドガイド孔２２ａから容易に取り外すこともできる。
【００２８】
上述のように、本実施形態では、スライドガイド１０の係合突起２２０には傾斜面２２１が形成される。このため、スライドガイド１０の係合突起２２０を容易に弾性変形させてスライドガイド１０をスライドガイド孔２２ａに好適に組み付けることができる。また、スライドガイド孔２２ａには周方向に対して傾斜する傾斜面（ガイド部２２ｅの後ガイド２２ｅ２の後ガイド傾斜面２２ｅ２１や前ガイド２２ｅ３の前ガイド傾斜面２２ｅ３１）が形成される。このため、スライドガイド１０の係合突起２２０を容易に弾性変形させてスライドガイド１０をスライドガイド孔２２ａから好適に取り外すことができる。
【００２９】
本実施形態では、スライドガイド１０を取り外す位置は、スライドガイド１０を取り付ける位置とは異なる、スライドガイド孔２２ａにおけるさらに前方側の位置（前ガイド２２ｅ３の配置位置）とした。このように構成すると、特にクリップ付スライドガイド１１においては、クリップ１１ａを胸ポケット等に挟んで携行しているときに不意にスライドガイド１０が前進してクリップ付スライドガイド１１がスライドガイド孔２２ａから外れてしまうことを防ぐことができる。一方、本実施形態のスライドガイド１０が最も前方に位置する筆記体３０の突出状態では、スライドガイド１０の本体部１１ｂ，１２ｂがスライドガイド孔２２ａ内に露出してその弾性変形が可能となるスライドガイド孔２２ａの前端縁２２ａ１からクリップ１１ａや操作部１２ａまでの距離が短いために、スライドガイド１０の本体部１１ｂ，１２ｂが径方向外側に撓んでスライドガイド１０が外れる余地（撓み代）がない。このように、本実施形態の多芯筆記具１は、筆記体３０及びスライドガイド１０を容易にスライドガイド孔２２ａに組み付けることができる一方で、意識的にスライドガイド１０を外そうとするのでなければスライドガイド１０が外れ難いように構成される。
【００３０】
以上、本発明は本実施形態によって限定されることは無く、種々の形態で実施することができる。例えば、本実施形態では、スライドガイド１０の着脱用突起１５０に径方向延在部２１０を形成したが、これに限られず、他の実施形態では、着脱用突起１５０として係合突起２２０のみを設けて係合突起２２０が周方向に弾性変形するように構成するものとしてもよい。また、本実施形態においては、着脱用突起１５０の係合突起２２０が周方向に弾性変形するように構成したが、これに限られず、他の実施形態では、スライドガイド孔２２ａが周方向に広がるように梁状部２２ｄを弾性変形可能に構成するものとしてもよい。あるいは、さらに他の実施形態では、スライドガイド１０の着脱用突起１５０及び梁状部２２ｄの双方が周方向に弾性変形可能であるように構成するものとしてもよい。このように構成すると、スライドガイド１０の着脱用突起１５０及び梁状部２２ｄの双方の弾性変形量を各々抑制することができるので、スライドガイド孔２２ａへのスライドガイド１０の着脱を繰り返しおこなう場合にも、繰り返しの材料疲労による着脱構造部の強度低下を抑制することができる。
【符号の説明】
【００３１】
１          多芯筆記具                      ２          軸筒
３          グリップ                        １０        スライドガイド
１１        クリップ付スライドガイド        １１ａ      クリップ
１１ａ１    規制傾斜面                      １１ｂ      本体部
１２        操作スライドガイド              １２ａ      操作部
１２ａ１    規制傾斜面                      １２ｂ      本体部
２１        先軸                            ２１ａ      先口
２１ａ１    開口部                          ２１ｂ      フランジ
２１ｃ      雄ネジ                          ２２        後軸
２２ａ      スライドガイド孔                ２２ａ１    前端縁
２２ａ１１  スライドガイド規制突起          ２２ｂ      後端壁
２２ｂ１    内壁面                          ２２ｂ２    後端壁突起
２２ｃ      雌ネジ                          ２２ｄ      梁状部
２２ｄ１    側壁面                          ２２ｄ１１  補助壁面
２２ｅ      ガイド部                        ２２ｅ１    後端係合突起
２２ｅ２    後ガイド                        ２２ｅ２１  後ガイド傾斜面
２２ｅ２２  面取部                          ２２ｅ３    前ガイド
２２ｅ３１  前ガイド傾斜面                  ２２ｅ３２  傾斜側面
２２ｆ      ガイド係止段部                  ２２ｇ      環状突起
３０        筆記体                          ３０ａ      インクタンク
３０ｂ      筆記部                          ４０        ガイドストッパー
４０ａ      円筒部                          ４０ａ１    溝部
４０ａ２    孔                              ４０ｂ      スプリングガイド
４２        圧縮スプリング                  １００      棒状本体
１１０      板状部                          １２０      スプリング係合段部
１３０      筆記体係合部                    １４０      解除突起
１５０      着脱用突起                      １６０      被解除突起
１７０      凹部                            １８０      係合部
２００      着脱片                          ２１０      径方向延在部
２２０      係合突起                        ２２１      傾斜面
【図１】
2019189323.tif 000003
【図２】
2019189323.tif 000004
【図３Ａ】
2019189323.tif 000005
【図３Ｂ】
2019189323.tif 000006
【図３Ｃ】
2019189323.tif 000007
【図４Ａ】
2019189323.tif 000008
【図４Ｂ】
2019189323.tif 000009
【図４Ｃ】
2019189323.tif 000010
【図５Ａ】
2019189323.tif 000011
【図５Ｂ】
2019189323.tif 000012
【図５Ｃ】
2019189323.tif 000013
【図６Ａ】
2019189323.tif 000014
【図６Ｂ】
2019189323.tif 000015
【図７Ａ】
2019189323.tif 000016
【図７Ｂ】
2019189323.tif 000017
【図８】
2019189323.tif 000018
【図９Ａ】
2019189323.tif 000019
【図９Ｂ】
2019189323.tif 000020
【図１０Ａ】
2019189323.tif 000021
【図１０Ｂ】
2019189323.tif 000022
【国際調査報告】
2019189323.tif 000023
2019189323.tif 000024
2019189323.tif 000025
2019189323.tif 000026